(57)【要約】【課題】  本発明は一般人の持ち物の携帯用や学生達のかばんの代用として使われるリュックサックを提供することによって達成されるものである。【解決手段】  本発明によるリュックサックは前面１２と背面１４からなるものであって、前面１２には一対の肩掛けバンド１８と、背面１４には小品等が盛られる複数のポケットを有する布袋形状の本体１０と、前記本体１０の前面１２または背面１４中、ある一面の内側に重畳的に設置され、ろ過フィルターが着脱式で設置されて口と鼻の周りを包んで密閉させる補助キャップを有するマスク２０及び前記本体１０の前記背面１４に一側を地点として開閉式で設置されて前記マスク２０を開閉する補助覆い３０を備え、火災や有毒ガスの流出による非常事態の発生時にかばんを防毒面として使わせることによって、その場を安全に待避することができるようにしたことを特徴とする。【選択図】    図１
2004321776.tif 000002
【特許請求の範囲】
【請求項１】
前面と背面とで構成され、前面には一対の肩掛けバンドと、面には小品などが盛られるポケット等を有する布袋形状の本体と、
前記本体の前面または背面中、ある一面の内側に重畳的に設置され、ろ過フィルターが着脱式で設置されて口と鼻の周りを包んで独立に密閉させる補助キャップを有するマスクとを備えて構成されていることを特徴とする防毒面を具備したリュックサック。
【請求項２】
前記マスクの適当な位置に設置され、消灯時に照明と非常事態を
知らせる警告灯として使われるようにした、発光要素を有する請求項１記載の防毒面
を具備したリュックサック。
【請求項３】
前記補助キャップに補助的にホースを通じて連結され、一時的に酸素を供給させるようにする携帯用の酸素ボンベを有する請求項１記載の防毒面を具備したリュックサック。
【請求項４】
前記本体の前記背面に一側を地点として開閉式で設置されて前記マスクを開閉する補助覆いを有する請求項１記載の防毒面を具備したリュックサック。
【請求項５】
前記補助覆いの内面に安全表示のための三角表示板の表示部を有する請求項１記載の防毒面を具備したリュックサック。
【請求項６】
前面と背面とで構成され、前面には一対の肩掛けバンドと、背面には小品等が盛られるポケット等を有する布袋形状の本体と、
前記本体の前面または背面中、ある一面の内側に重畳的に設置され、ろ過フィルターが着脱式で設置されて口と鼻の周りを包んで独立に密閉させる補助キャップを有するマスクと、
前記本体の背面に一側を地点として開閉式で設置されて前記マスクを開閉する補助覆いを備えて構成されていることを特徴とする防毒面を具備したリュックサック。
【請求項７】
前記マスクの適当な位置に設置され消灯時に非常事態を知らせる警告灯として使わせるようにした、発光要素を有する請求項６記載の防毒面を具備したリュックサック。
【請求項８】
前記補助キャップに補助的にホースを通じて連結され、一時的に酸素を供給させるようにする携帯用の酸素ボンベを有する請求項６記載の防毒面を具備したリュックサック。
【請求項９】
前記補助覆いの内面に安全表示のための三角表示板の表示部を有する請求項６記載の防毒面を具備したリュックサック。
【発明の詳細な説明】
【技術分野】
【０００１】
本発明は一般人の持ち物の携帯用や学生達のかばんの代用として使われるリュック
サックに関するものであって、特に火災や有毒ガスの流出による非常事態の発生時に
その場を安全に待避することができるようにした、防毒面を具備しているリュックサ
ックに関するものである。
【背景技術】
【０００２】
持ち物の携帯用または学生達のかばんの代用として使われているリュックサックは、現在まで多様に開発され広く使われているが、そのようなリュックサックは大体原緞を全面と背面で裁断し、この前・背面の端を縫裁して所定量の物品が上部の開口部を通じて盛られる布袋形状の本体を有する。このような本体は体の背中に安定に負うように、前面はなるべく平面にし、背面は物品の収納空間を広げるために些かに膨らんで出っ張っている曲面を有することになる。
【０００３】
このように構成される本体の前面には本体を背中に負うようにするための一対の掛けバンドと、背面には適当な位置に小品等が盛られるポケット等が備えられている。このようなリュックサックは、上記したように単純に物品等の保管と携帯の機能のみを有しているものである。
【０００４】
ところが、近来急変し複雑化している社会環境と不意事故、つまり予想していなかった火災や有毒ガスの流出などの有事時に緊急に対処できなくて致命的な安全事故が多発しており、このような有事時を備えて一般人または学生たちが別途の防毒器具を携帯するには多くの不便さを伴うのである。
【０００５】
したがって、緊急状況において、至急な対処は、優先的にその事故場所から安全に待避すること、再度説明すると、火災時の場合に煤煙や有毒ガスによる窒息死にならないようにその場を安全に待避するための一時的な呼吸器具として活用できるものを提案するものであって、一般人や学生たちの全てが携帯するリュックサックを簡便に頭巾として利用し防毒面を提供しようとする。
【発明の開示】
【発明が解決しようとする課題】
【０００６】
本発明は、上記のような事情を考慮して成されたものであって、その目的はリュックサックの前面または背面のある一面に一体で設置されるマスクと、そのマスクに着脱式で設置される呼吸装備を備えて火災や有毒ガスの流出などの有事時にリュックサックを防毒面として活用するようにすることによって、非常事態の時、その事故場所を安全に待避することができるようにした、防毒面を具備したリュックサックを提供することである。
【課題を解決するための手段】
【０００７】
このような本発明の目的は一般人の持ち物の携帯用や学生達のかばんの代用として使われるリュックサックを提供することによって達成される。
すなわち第１の発明は、前面と背面とで構成され、前面には一対の肩掛けバンドと、面には小品などが盛られるポケット等を有する布袋形状の本体と、
前記本体の前面または背面中、ある一面の内側に重畳的に設置され、ろ過フィルターが着脱式で設置されて口と鼻の周りを包んで独立に密閉させる補助キャップを有するマスクとを備えて構成されていることを特徴とする防毒面を具備したリュックサックである。
火災や有毒ガスの流出による非常事態の発生時にかばんを防毒面として使わせることによって、その場を安全に待避することができるようになる。
【０００８】
第２の発明は、第１の発明において前記マスクの適当な位置に設置され、消灯時に
照明と非常事態を知らせる警告灯として使われるようにした、発光要素を有する防毒
面を具備したリュックサックである。
【０００９】
第３の発明は、第１の発明において前記補助キャップに補助的にホースを通じて連結され、一時的に酸素を供給させるようにする携帯用の酸素ボンベを有する防毒面を具備したリュックサックである。
【００１０】
第４の発明は、第１の発明において前記本体の前記背面に一側を地点として開閉式で設置されて前記マスクを開閉する補助覆いを有する請求項１記載の防毒面を具備したリュックサックである。
【００１１】
第５の発明は、第１の発明において前記補助覆いの内面に安全表示のための三角表示板の表示部を有する請求項１記載の防毒面を具備したリュックサックである。
【００１２】
第６の発明は、前面と背面とで構成され、前面には一対の肩掛けバンドと、背面には小品等が盛られるポケット等を有する布袋形状の本体と、
前記本体の前面または背面中、ある一面の内側に重畳的に設置され、ろ過フィルターが着脱式で設置されて口と鼻の周りを包んで独立に密閉させる補助キャップを有するマスクと、
前記本体の背面に一側を地点として開閉式で設置されて前記マスクを開閉する補助覆いを備えて構成されていることを特徴とする防毒面を具備したリュックサックである。
【００１３】
第７の発明は、第６の発明において、前記マスクの適当な位置に設置され消灯時に非常事態を知らせる警告灯として使わせるようにした、発光要素を有する防毒面を具備したリュックサックである。
【００１４】
第８の発明は、第６の発明において、前記補助キャップに補助的にホースを通じて連結され、一時的に酸素を供給させるようにする携帯用の酸素ボンベを有する防毒面を具備したリュックサックである。
【００１５】
第９の発明は、第６の発明において前記補助覆いの内面に安全表示のための三角表示板の表示部を有する防毒面を具備したリュックサックである。
【発明の効果】
【００１６】
本発明によれば、リュックサックを防毒面として活用するようにしたので、非常事態の時、その事故場所を安全に待避することができる。
【発明を実施するための最良の形態】
【００１７】
次に本発明の第一実施例を図面に従って具体的に説明する。図１には本発明による防毒面を有するリュックサックが詳細に図示されている。図面で１０はリュックサックの本体である。この本体１０はおおよそ上面が開口された布袋形状で構成されるが、これを詳しく説明すると、本体１０は前面１２と背面１４からなって、その上部を別途の蓋１６を設け開閉されるようにしている。ここで、本体１０は耐火性の繊維素材を用いることが好ましいであろう。
【００１８】
また、前面１２には一対の肩掛けバンド１８を、背面１４には小品等が盛られる複数のポケットを備えている。このように構成されているのは通常のリュックサックと同一である。本発明はこのような布袋形状で構成されるリュックサックを逆さまに立てると頭巾のような形状になることを用いて防毒面として活用させることに特徴がある。
【００１９】
これを具体的に説明すると、図２のように本体１０の前面１２または背面１４中ある一面、即ち本発明ではその一つの例として、背面１４に適用されることを示しているが、背面１４の内側に着用者たちの顔と同型で成されるマスク２０を重畳的に設置している。この時、マスク２０は着用者の顔と緊密な接着のため内周縁に沿って機密要素２２を持っており、このような機密要素２２は着用者の顔と大気の間を完全に遮蔽してマスク２０の内部を密閉空間で維持させる。つまり、呼吸側に有害ガスが吸入されることを防止するガスケット等である。ここで、マスク２０はおおよそ凹入型で構成され、そのマスク２０の内側に後で説明するろ過フィルターや携帯用の酸素ボンベなどが密閉地２１によって密閉、保管されるであろう。
【００２０】
マスク２０には図３のように前面の中央部分に設置される呼吸口２３にろ過フィルター２４が着脱式で設置され、着用者の口と鼻の周りを独立に包んで密閉させる補助キャップ２６を備えている。この時、補助キャップ２６には一定の長さのホース２７が連結され、このホース２７に携帯用の酸素ボンベ２９を繋いで、一定時間の間に補助酸素を用いて呼吸することができるようにした。そしてマスク２０は結束バンド２５を用いて頭部に安定に着用される。
【００２１】
また、マスク２０の前面の適当な位置には非常事態で室内が消灯時に照明のためのランターンまたは警告灯等を兼ねる発光要素２８が設置される。この時発光要素２８の以外に警報音、即ち事故者の位置を知らせる警報装置を付加的に備えることもできる。
【００２２】
一方、本体１０の背面１４の中間部の位置に一側を地点として開閉式で設置され、マスク２０の周りを開閉する補助覆い３０が設置されている。このような補助覆い３０は、その補助覆い３０と背面１４の相互の対向面の各々に設置される雌と雄型のベルクロー３２によって結束したり離脱したりするようにした。
【００２３】
また、補助覆い３０の内面には蓄光と再帰反射とで構成される三角表示板の表示部３４を備え、図４のように道路上で自動車の駐停車の時、安全表示器具として使われるようにした。
【００２４】
それでは、本発明のリュックサックの使用状態を説明すると、本発明は平常時には本体１０に携帯物品を保管しているが、火災や有毒ガスの流出などの非常事態の発生時には本体１０内の物品を取り出すと同時に背面１４の閉じている補助覆い３０を開き、マスク２０の内側に塗布されていた密閉地２１を取り外して保管されていたろ過フィルター２４と携帯用の酸素ボンベ２９を取り出し、マスク２０の吸入口２３または補助キャップ２６の各々に設置する。そして本体１０を逆さまに立てて頭部に被せ、結束バンド２５を用いてマスク２０を安定に着用する。この時、事故場所が地下または電源が遮断され消灯になった場合にはマスク２０の前面に設置されている発光要素２８を点灯させ、安全に事故現場から待避することができる。
【００２５】
本発明は平常時にはリュックサックとして使われるが、危急状況時、即ち火災や有毒ガスの流出時にはリュックサックを簡便に防毒面として使うようにして事故現場から安全に待避することができるなど、非常状態の有事時に積極的に対処して危急状況から迅速に離れることができるようにしたものである。
【００２６】
また、本発明は発光要素を用いて事故現場を安全に待避することができるし、警告灯や警報音を発して事故者の位置を知らせることによって、事故者を迅速に発見し安全に待避または後送処理して人命を救助することができる効果もある。
【００２７】
また、本発明は補助覆いを開き、補助覆いの内面に備えてある三角表示板の表示部を用いて道路上で駐停車の時安全表示器具としても使えるようにした。
【００２８】
以上のように、本発明の第一実施例を図面に従って具体的に説明したが、本発明はこれに限らず特許請求の範囲に記載されている範囲内で変更することが可能であろう。
【図面の簡単な説明】
【００２９】
【図１】本発明による防毒面を具備したリュックサックを示す斜視図である。
【図２】本発明による防毒面を具備したリュックサックの全体的な構成を示す断面図である。
【図３】本発明によるリュックサックが防毒面として使われる態様を示す説明図である。
【図４】本発明によるリュックサックを道路上で自動車の駐停車時に安全表示三角板として使われる態様を示す説明図である。
【符号の説明】
【００３０】
１０  本体、  １２  前面、  １４  背面、  １６  蓋、  １８  肩掛けバンド、
２０  マスク、  ２２  機密要素、  ２４  フィルター、  ２６  補助キャップ、
２８  発光要素、  ３０  補助覆い
【図１】
2004321776.tif 000003
【図２】
2004321776.tif 000004
【図３】
2004321776.tif 000005
【図４】
2004321776.tif 000006